(57)【要約】【課題】ステージ装置における複数の可動ステージを作動させることによって、遊技球の挙動を制御することによって、遊技の興趣を向上させるようにした遊技機を提供する。【解決手段】  ステージ装置４０は、ベース体１４と、モータ１６と、前記ベース体の上面に設けられ、前後方向に配置される複数の可動ステージとを備え、可動ステージ１８は、前方を低段とする階段状に複数配置されるとともに、モータ１６により、前下方へ傾斜することによって遊技球の下方への転動を促す送球位置と、後下方へ傾斜することによって遊技球の下方への転動を妨げる維持位置とに揺動可能とする。【選択図】  図５
2012179299.tif 000002
【特許請求の範囲】
【請求項１】
遊技球が流下可能な遊技領域を有する遊技盤と、前記遊技領域に設けられ、遊技球を転動可能なステージ装置とを備える遊技機において、
前記ステージ装置は、
ベース体と、
モータと、
前記ベース体の上面に設けられ、前後方向に配置される複数の可動ステージとを備え、
前記可動ステージは、前方を低段とする階段状に複数配置されるとともに、前記モータにより、前下方へ傾斜することによって遊技球の下方への転動を促す送球位置と、後下方へ傾斜することによって遊技球の下方への転動を妨げる維持位置とに揺動しうることを特徴とする遊技機。
【請求項２】
前記可動ステージの側方に、前記モータに連係し前後方向への往復動作が可能な可動板を設け、当該可動板に、上下方向へ傾いた長溝を前後方向に複数設け、当該複数の長溝の傾きをそれぞれ互い違いになるように設定し、
前記可動ステージは、前記ベース体に揺動可能に支持されるとともに、端部には、前記可動板の前記長溝に摺動可能に支持される作用突部を突設し、
前記モータにより前記可動板が前後方向へ往復動作して、前記作用突部が前記長溝の傾きに沿って摺動することによって、前記可動ステージにおける隣り合うもの同士の一方が前記維持位置のときに、他方が前記送球位置となるようにそれぞれが揺動して、遊技球を前記可動ステージ上で保持させたり、転動させたりして下方へ流下させるようになっていることを特徴とする請求項１記載の遊技機。
【請求項３】
前記可動ステージは、前下方に傾斜する凹部と、上方へ突出する凸部とを左右方向へ交互に設けるとともに、当該凸部の前端に、上方へ起立して遊技球の前方への転動を阻止する起立片とを設け、
前記可動ステージにおいて上段と下段とに隣り合うステージのうち、下段ステージにおける上段ステージの凹部の前方に対応する位置に、前記凸部及び前記起立片を配設したことを特徴とする請求項１及び２記載の遊技機。
【発明の詳細な説明】
【技術分野】
【０００１】
本発明は、遊技機に関する。
【背景技術】
【０００２】
近年、遊技機においては、表示内容の複雑化及び視認性確保のために、表示装置は大型化される傾向にある。しかし、表示装置を大型化すると、遊技盤の遊技領域において遊技球の流下する領域が狭くなり、遊技球の転動パターンは限定され、遊技の興趣に欠けるものとなってしまう。そのため、この課題を解決するべく、遊技球の挙動を見せるための領域設定は、釘の配置領域からステージへと移りつつある。また、表示装置とともに大型化したステージを有効に活用して、遊技領域の縮小による興趣の低下を補填するだけではなく、遊技機における遊技の興趣を一層高めることが望まれている（例えば、特許文献１参照）。
【先行技術文献】
【特許文献】
【０００３】
【特許文献１】特開２００１−０３７９９１公報
【発明の概要】
【発明が解決しようとする課題】
【０００４】
しかし、上述の特許文献１に記載されたステージ部は固定されており、たとえ、形状を変更したステージ部材を複数設置したとしても、固定されているので、遊技者は遊技球の転動態様を予想することができ、遊技の興趣が低下することが懸念される。
【０００５】
本発明は、上記課題に鑑み、ステージを、その形状のみで、遊技球を転動させるものは異なり、複数のステージを動かすことによって、遊技球の転動方向の不確実性を高め、もって、遊技の興趣を向上させるようにした遊技機を提供することを目的としている。
【課題を解決するための手段】
【０００６】
(１)  遊技球が流下可能な遊技領域を有する遊技盤と、前記遊技領域に設けられ、遊技球を転動可能なステージ装置とを備える遊技機において、前記ステージ装置は、ベース体と、モータと、前記ベース体の上面に設けられ、前後方向に配置される複数の可動ステージとを備え、前記可動ステージは、前方を低段とする階段状に複数配置されるとともに、前記モータにより、前下方へ傾斜することによって遊技球の下方への転動を促す送球位置と、後下方へ傾斜することによって遊技球の下方への転動を妨げる維持位置とに揺動しうる。
【０００７】
上記構成によれば、ステージ装置に、送球位置と維持位置とに揺動可能な複数の可動ステージとを備えることにより、可動ステージ上を転動する遊技球が従前の固定ステージだけでは実現不可能な転動態様となり、予想も出来ない挙動により遊技の興趣を高めることができる。
【０００８】
(２)  上記(１)項において、前記可動ステージの側方に、前記モータに連係し前後方向への往復動作が可能な可動板を設け、当該可動板に、上下方向へ傾いた長溝を前後方向に複数設け、当該複数の長溝の傾きをそれぞれ互い違いになるように設定し、前記可動ステージは、前記ベース体に揺動可能に支持されるとともに、端部には、前記可動板の前記長溝に摺動可能に支持される作用突部を突設し、前記モータにより前記可動板が前後方向へ往復動作して、前記作用突部が前記長溝の傾きに沿って摺動することによって、前記可動ステージにおける隣り合うもの同士の一方が前記維持位置のときに、他方が前記送球位置となるようにそれぞれが揺動して、遊技球を前記可動ステージ上で保持させたり、転動させたりして下方へ流下させる。
【０００９】
上記構成によれば、モータの駆動力を簡単な構成で各可動ステージに伝達可能とするとともに、隣り合う可動ステージ同士の動きが互いに異なるように（例えば、一方が送球位置のときに、他方が維持位置となるように）制御することによって、遊技球を一ステージずつ確実に流下させることができる。
【００１０】
(３)  上記(１)または(２)項において、前記可動ステージは、前下方に傾斜する凹部と、上方へ突出する凸部とを左右方向へ交互に設けるとともに、当該凸部の前端に、上方へ起立して遊技球の前方への転動を阻止する起立片とを設け、前記可動ステージにおいて上段と下段とに隣り合うステージのうち、下段ステージにおける上段ステージの凹部の前方に対応する位置に、前記凸部及び前記起立片を配設する。
【００１１】
上記構成によれば、可動ステージ上を転動する遊技球は、凹部、凸部及び起立片の影響を受けて転動をするため、変化に富んだ遊技の提供が可能となり遊技の興趣を高めることができる。
【発明の効果】
【００１２】
本発明によれば、ステージ装置における複数の可動ステージを作動させることによって、遊技球の挙動を制御することによって、変化に富んだ遊技の提供が可能となり、遊技の興趣を向上させる。
【図面の簡単な説明】
【００１３】
【図１】本発明の遊技機の一実施形態を示す正面図である。
【図２】ステージ装置の平面図である。
【図３】ステージ装置を、押さえ部材を外した状態で示す平面図であり、遊技球の転動状況を示す。
【図４】ステージ装置の正面図である。
【図５】ステージ装置の斜視図である。
【図６】ステージ装置のモータクランクが、非可動時におけるステージ装置の正面図である。
【図７】（ａ）図６のＶＩａ−ＶＩａ線における縦断面図である。（ｂ）図６のＶＩｂ−ＶＩｂ線における縦断面図である。（ｃ）図６のＶＩｃ−ＶＩｃ線における縦断面図である。
【図８】ステージ装置のモータクランクが、反時計方向へ９０度回転したときにおけるステージ装置の正面図である。
【図９】（ａ）図８のＶＩＩＩａ−ＶＩＩＩａ線における縦断面図である。（ｂ）図８のＶＩＩＩｂ−ＶＩＩＩｂ線における縦断面図である。（ｃ）図８のＶＩＩＩｃ−ＶＩＩＩｃ線における縦断面図である。
【図１０】ステージ装置のモータクランクが、反時計方向へ２７０度回転したときにおけるステージ装置の正面図である。
【図１１】（ａ）図１０のＸａ−Ｘａ線における縦断面図である。（ｂ）図１０のＸｂ−Ｘｂ線における縦断面図である。（ｃ）図１０のＸｃ−Ｘｃ線における縦断面図である。
【発明を実施するための形態】
【００１４】
以下、本発明の一実施形態を、図面に基いて説明する。なお、以下の説明において、図１及び図４における紙面手前側、図２及び図３における右方、図５における下方を遊技機の「前方」とし、図１及び図４における紙面奥側、図２及び図３における左方、図５における上方を遊技機の「後方」とし、図１及び図５における左方、図２〜図４における下方を遊技機の「左方」とし、図１及び図５における右方、図２〜図４における上方を遊技機の「右方」とする。
【００１５】
図１に示すように、遊技機１は、遊技施設に備え付けられる縦長方形の外枠２と、外枠２に縦長方形の内枠(図示省略)を介して支持されている遊技盤３と、遊技盤３のほぼ中央に設けた開口部（図示省略）内に設けられるセンター役物４と、センター役物４内に設けた開口部４１内に配置され、遊技状況に応じて各種演出画像を表示する表示領域５ａを有する液晶表示装置５と、中央にガラス板（図示省略）が嵌め込まれているガラスユニット６ａを含み、外枠２の左側部に上下方向のヒンジ軸(図示省略)により開閉自在に支持されている前扉６とを備えている。遊技機１の前面の右下部に設けたハンドル７を時計方向に回転させることにより、前扉６の下方に設けた球貯留皿８に貯留されている遊技球が、発射装置(図示省略)から、遊技盤３の前面に設けた、環状のガイドレール９で囲まれた略円形の遊技領域１０に打ち込まれて、所定の遊技が行われるようになっている。
【００１６】
センター役物４は、液晶表示装置５における表示領域５ａを前方から視認可能とする開口部４１と、前方に突出する外周縁部４２とを備え、センター役物４の中央部直下には、センター役物４内に入球した遊技球が転動しうるステージ装置４０が設けられている。外周縁部４２の左側部には、遊技球が遊技領域１０からセンター役物４内へ入球可能なワープ通路４３が設けられている。ステージ装置４０の下方には、遊技領域１０に打ち込まれた遊技球が入賞可能な始動入賞口１１が設けられ、さらに始動入賞口１１の下方には、遊技者にとって有利な状態である特別遊技状態の際に、開口して遊技領域１０に打ち込まれた遊技球を入賞可能とする大入賞口１２が設けられている。さらに、遊技領域１０には、遊技領域１０から遊技球を排出するための排出口１３、多数の釘(図示省略)、及びレール(図示省略)等が配置されている。
【００１７】
図２〜図５に示すように、ステージ装置４０は、図１に示すセンター役物４の下部に水平に設けられる平面視横長矩形の平板状のベース体１４と、駆動源をなすモータ１６と、ワープ通路４３を通ってセンター役物４内に入球した遊技球が転動可能な平面視矩形の固定ステージ１７と、固定ステージ１７の前側に前方へ向かって低くなるように階段状に複数配置される平面視矩形の可動ステージ１８とを備えている。各可動ステージ１８は、モータ１６により前下方へ傾斜させられることによって、遊技球の下方への転動を促す送球位置（図９（ｃ）に示す後記第１可動ステージ１８ａ及び第３可動ステージ１８ｃを参照）と、後下方へ傾斜させられることによって、遊技球の下方への転動を妨げる維持位置（図９（ｃ）に示す後記第２可動ステージ１８ｂ及び第４可動ステージ１８ｄを参照）とに揺動可能となっている。
【００１８】
図２に示すように、ベース体１４の上面の後部には固定ステージ１７が設けられ、また固定ステージ１７から前方へ向かって複数の可動ステージ１８が設けられている。固定ステージ１７の右側方には、モータ１６が、固定部材１５を介して取付けられている。
【００１９】
図３に示すように、ベース体１４の上面の両側部には、上方に突出する立上り壁を形成し、この立上り壁の上面には、内方と上方が開口した凹部から形成された左右一対の軸支持部２１が前後方向へ複数設けられている。軸支持部２１は各可動ステージ１８の両端部に設けられる後記軸部２２を介して可動ステージ１８を揺動可能に支持するものである。
【００２０】
固定ステージ１７及び可動ステージ１８の右端部には、図４に示すベース体１４の上面に設けた前後方向の溝１４ａ内を摺動しうる可動板１９が設けられている。図７(ａ)、図９(ａ)及び図１１(ａ)に示すように、可動板１９には、外側であるモータ１６の対向面に上下方向に延びるカム孔１９ａが設けられ、このカム孔１９ａに、モータ１６に連結されているモータクランク１６ａの偏心軸１６ｂを連結させることによって、モータ１６の回転運動を前後運動に変換して、可動板１９の前後方向への往復動作を可能としている。また、可動板１９の内側には、若干の傾きを有する前後方向へ延びる複数の長溝１９ｂが前後方向に並設され、各長溝１９ｂは、前後に隣り合う同士のうち、一方の傾きが前上がりで他方の傾きが前下がりとなるように設定されている。
【００２１】
可動板１９の前後方向の原点位置を検知するために、発光素子と受光素子とを上下に一定の間隔を持たせて対向させたフォトインタラプタ２０が固定部材１５の前部に設けられている。また、可動板１９の外側の前後方向のほぼ中央には、フォトインタラプタ２０の検知精度を向上させるためのスリット１９ｄを有する突片１９ｃが設けられている。
【００２２】
図４及び図５に示すように、各可動ステージ１８は、固定ステージ１７の左右幅と同寸、かつ前後幅がより狭い平面視矩形をなしており、固定ステージ１７の前側に前方を低とする階段状に配置され、上段から下段へ向かって第１可動ステージ１８ａ、第２可動ステージ１８ｂ、第３可動ステージ１８ｃ及び第４可動ステージ１８ｄの４段階で構成されている。なお、固定ステージ１７は、第１可動ステージ１８ａよりも上面が高く設定されている。図３に示すように、各可動ステージ１８ａ〜１８ｄの後側の右側端部には、各長溝１９ｂに摺動可能に支持される作用突部１８１が設けられている。また、各可動ステージ１８ａ〜１８ｄの前側の両端部には外方へそれぞれ突出する軸部２２が設けられ、軸部２２が嵌め込まれる軸支持部２１によって揺動可能に支持される。
【００２３】
軸支持部２１によって支持された軸部２２が軸支持部２１から離脱しないように上方から押さえつけるための押さえ部材２３をベース体１４に取付ける。この押さえ部材２３の下面には、ベース体１４に設けられた溝１４ａと対向する位置に前後方向へ延びる溝２３ａが設けられ、これらの上下の溝１４ａ、２３ａをもって、可動板１９が前後方向へ摺動可能に支持されている。
【００２４】
各可動ステージ１８ａ〜１８ｄは、モータ１６により可動板１９が前後作動させられ、作用突部１８１が長溝１９ｂの傾きに沿って摺動することによって、隣り合うもの同士の一方が維持位置のときに、他方が送球位置となるように揺動して、遊技球を可動ステージ１８ａ〜１８ｄ上で保持させたり、転動させたりして下方へ流下させる。このように可動ステージ１８ａ〜１８を作動させることによって、従前の固定ステージだけでは実現不可能な遊技球の転動態様を実現でき、予想も出来ない挙動により遊技の興趣を高めることができる。
【００２５】
図２〜図５に示すように、固定ステージ１７及び可動ステージ１８ａ〜１８ｄのそれぞれの上面には、前下方に傾斜して遊技球の転動を促す凹部２４と、上方へ突出して遊技球の転動を妨げる凸部２５とが左右方向へ交互に並設されている。また、凸部２５の前端には、上方へ起立して遊技球の下方への転動を阻止する起立片２６が設けられている。
【００２６】
また、固定ステージ１７及び可動ステージ１８における上段と下段とに隣り合うステージのうち、下段ステージにおける上段ステージの凹部２４の前方に対応する位置には、凸部２５及び起立片２６が配置され、下段ステージにおける上段ステージの凸部２５及び起立片２６の前方に対応する位置には凹部２４が配置されている。最下段の可動ステージ１８ｄにおける、始動入賞口１１の直上には、凹部２４が形成されている。このように凹部２４、凸部２５、及び起立片２６を配設することによって、転動する遊技球の挙動が単調となることはなく、ステージが可動であることによる効果に加えて、変化に富んだ遊技の提供が可能となり、遊技の興趣を高めることができる。
なお、凹部２４と凸部２５の左右方向の幅はほぼ同一となっている。
【００２７】
固定ステージ１７の上面におけるワープ通路４３側である左側と前側を除く周縁部には、一連の壁部１７１が設けられている。壁部１７１の右側部は、ワープ通路４３から固定ステージ１７上へ転動してきた遊技球が、固定ステージ１７の右側から落下することを防ぎ、また、壁部１７１の後側部は、同じく遊技球が、固定ステージ１７の後側から落下することを防ぐ。
【００２８】
可動ステージ１８ａ〜１８ｄの各両側部には、遊技球が可動ステージ１８ａ〜１８ｄ側方から落下するのを防止する側壁２７が設けられている。各側壁２７の前後上端部には、隣り合う可動ステージ１８ａ〜１８ｄ同士が揺動する際に、互いが干渉しないように、図７(ｃ)、図９(ｃ)及び図１１(ｃ)に示す切欠部２７ａを設けてある。即ち、隣り合う可動ステージ１８ａ〜１８ｄのうち、一方が前下方へ傾斜し、他方が後下方へ傾斜するように揺動した際にも、側壁２７同士の干渉を避けることができる。
【００２９】
図６〜図１１はステージ装置４０の作動状態を示すものである。なお、以下の説明において、図７(ａ)、図９(ａ)及び図１１(ａ)における右方、図７(ｂ)、図７(ｃ)、図９(ｂ)、図９(ｃ)、図１１(ｂ)及び図１１(ｃ)における左方を遊技機の「前方」とし、図７(ａ)、図９(ａ)及び図１１(ａ)における左方、図７(ｂ)、図７(ｃ)、図９(ｂ)、図９(ｃ)、図１１(ｂ)及び図１１(ｃ)における右方を、遊技機の「後方」とする。なお、図６，図８及び図１０は、図４と同じくステージ装置４０の正面図であり、図面における方向も図４と同一であるため説明は省略する。
【００３０】
図６は、各可動ステージ１８ａ〜１８ｄが水平状態である初期位置、即ち、フォトインタラプタ２０がスリット１９ｄを検知可能な原点位置にある状態を示す。図７(ａ)に示すように、可動ステージ１８ａ〜１８ｄの各作用突部１８１は、可動板１９の長溝１９ｂ内のほぼ中央に位置しており、モータクランク１６ａの偏心軸１６ｂは、カム孔１９ａ上端部に位置している。
図７(ｂ)に示すように、各作用突部１８１と各軸部２２との互いの位置関係はほぼ水平状態であるため、図７(ｃ)に示すように、各可動ステージ１８ａ〜１８ｄはほぼ水平状態に維持される。
【００３１】
図示しないが、モータクランク１６ａの偏心軸１６ｂが原点位置から反時計方向へ１８０度回転した際に、モータクランク１６ａの偏心軸１６ｂがカム孔１９ａの下端部に位置する場合にも、作用突部１８１と軸部２２との互いの位置関係はほぼ水平状態となり、各可動ステージはほぼ水平状態に維持される。
【００３２】
図８は、モータ１６に連結されたモータクランク１６ａの偏心軸１６ｂが、原点位置から反時計方向へ９０度回転した状態を示す。この場合、図９(ａ)に示すように、可動板１９が後方へスライドして、各可動ステージ１８ａ〜１８ｄの作用突部１８１が、可動板１９の長溝１９ｂ内の前端部に移動することによって、図９(ｂ)に示すように、第１可動ステージ１８ａ及び第３可動ステージ１８ｃの各作用突部１８１が各軸部２２を中心に上方へ移動し、第２可動ステージ１８ｂ及び第４可動ステージ１８ｄの各作用突部１８１は、各軸部２２を中心として下方へ移動して、軸部２２との互いの位置関係が前下がり傾斜または後下り傾斜となる。この作用突部１８１の移動に伴って、各可動ステージ１８ａ〜１８ｄは、図９(ｃ)に示すように、第１可動ステージ１８ａ及び第３可動ステージ１８ｃは、前下方へ傾斜する送球位置に揺動し、第２可動ステージ１８ｂ及び第４可動ステージ１８ｄは、後下方へ傾斜する維持位置に揺動する。
【００３３】
図１０は、モータ１６に連結されたモータクランク１６ａの偏心軸１６ｂが、原点位置から反時計方向へ２７０度回転した状態を示す。この場合、図１１(ａ)に示すように、可動板１９が前方へスライドして、可動ステージ１８ａ〜１８ｄの作用突部１８１が、可動板１９の長溝１９ｂ内の後端部に移動することによって、図１１(ｂ)に示すように、第１可動ステージ１８ａ及び第３可動ステージ１８ｃの各作用突部１８１は、各軸部２２を中心に下方へ移動し、第２可動ステージ１８ｂ及び第４可動ステージ１８ｄの各作用突部１８１が、各軸部２２を中心として上方へ移動して、軸部２２との互いの位置関係が後下り傾斜または前下がり傾斜となる。この作用突部１８１の移動に伴って、各可動ステージ１８ａ〜１８ｄは、図１１(ｃ)に示すように、第１可動ステージ１８ａ及び第３可動ステージ１８ｃは、後下方へ傾斜する維持位置に揺動し、第２可動ステージ１８ｂ及び第４可動ステージ１８ｄは、前下方へ傾斜する送球位置に揺動する。
【００３４】
図３を参考に、ステージ装置４０上を転動する遊技球の転動態様について説明する。遊技領域１０に打ち込まれた遊技球がワープ通路４３を通ってセンター役物４内へ入球すると、入球した遊技球は、固定ステージ１７の左側から右方に向かって転動し、固定ステージ１７の上面に配置された凹部２４、凸部２５及び起立片２６の影響を受けながら、前下方に傾斜する凹部２４に案内されて前下方の第１可動ステージ１８ａに流下する。第１可動ステージ１８ａにおけるその流下位置には、凸部２５及び起立片２６が設置されており、第１可動ステージ１８ａに流下した遊技球は起立片２６に当接することよって、第２可動ステージ１８ｂに直接流下することはなく、また、凸部２４によって左右のいずれかに振り分けられる。その際、第１可動ステージ１８ａが維持位置にあれば、遊技球の流下速度が抑えられ、送球位置にあれば流下速度が加速するため、遊技球の挙動に影響を与え変化をもたらす。さらに、遊技球は、第１可動ステージ１８ａに上面に配置された凹部２４、凸部２５及び起立片２６の影響を受けながら転動し、第１可動ステージ１８ａが維持位置から送球位置に揺動すると、いずれかの凹部２４に案内されて前下方の第２可動ステージ１８ｂに流下する。
【００３５】
第２可動ステージ１８ｂ〜第４可動ステージ１８ｄまでの遊技球の転動態様は、上述の固定ステージ１７から第２可動ステージ１８ｂまでの遊技球の転動態様の繰り返しであるため説明は省略する。
最下段の第４可動ステージ１８ｄ上に転動した遊技球は、中央の凹部２４から下方へ流下した場合、中央の凹部２４直下に設けられた始動入賞口１１への入賞確率は高く、左右の凹部から下方へ流下した場合、始動入賞口１１への入賞確率は中央の凹部２４からと比べると低いものとなっている。
【００３６】
以上、本発明の一実施形態について説明したが、本発明の要旨を逸脱しない範囲内で、本実施形態に対して、次のような種々の変形や変更を施すことが可能である。
【００３７】
(ｉ)  モータ１６の回転運動を可動板１９の直線運動に変換するために、モータクランク１６ａ及びカム孔１９ａを採用しているが、これに代わり、ソレノイド（図示省略）を採用し、その直進運動を利用してもよい。
【００３８】
(ii)  固定ステージ１７を前後方向へ揺動可能に設けてもよい。また、可動ステージ１８は、４段に限らず、複数段であればよく、最下段の可動ステージの中央、即ち、始動入賞口１１の直上に凹部２４が設けてあればよい。
【００３９】
(iii)  固定ステージ１７及び可動ステージ１８ａ〜１８ｄにおける凹部２４と凸部２５の左右方向の幅、及び／または、凹部２４と凸部２５との不陸の高低差が異なるもの同士を、単一のステージ内で配置させたり、それぞれステージ毎に変更して配置しても良い。
【符号の説明】
【００４０】
１  遊技機
２  外枠
３  遊技盤
４  センター役物
５  液晶表示装置
５ａ  表示領域
６  前扉
６ａ  ガラスユニット
７  ハンドル
８  球貯留皿
９  ガイドレール
１０  遊技領域
１１  始動入賞口
１２  大入賞口
１３  排出口
１４  ベース体 
１４ａ  溝
１５  固定部材
１６  モータ
１６ａ  モータクランク
１６ｂ  偏心軸
１７  固定ステージ
１８  可動ステージ
１８ａ〜１８ｄ  第１〜第４可動ステージ
１９  可動板
１９ａ  カム孔
１９ｂ  長溝
１９ｃ  突片
１９ｄ  スリット
２０  フォトインタラプタ
２１  軸支持部
２２  軸部
２３  押さえ部材
２３ａ  溝
２４  凹部
２５  凸部
２６  起立片
２７  側壁
２７ａ  切欠部
４０  ステージ装置
４１  開口部
４２  外周縁部
４３  ワープ通路
１７１  壁部
１８１  作用突部
【図１】
2012179299.tif 000003
【図２】
2012179299.tif 000004
【図３】
2012179299.tif 000005
【図４】
2012179299.tif 000006
【図５】
2012179299.tif 000007
【図６】
2012179299.tif 000008
【図７】
2012179299.tif 000009
【図８】
2012179299.tif 000010
【図９】
2012179299.tif 000011
【図１０】
2012179299.tif 000012
【図１１】
2012179299.tif 000013